(57)【要約】【課題】  天板等の支持部材の取付位置が可変であると共に、該支持部材の位置決めを、確実に精度よく、かつ容易に行うことができる支持部材の取付装置を得る。【解決手段】  支持部材２が横架ビーム１ｂの長手方向の任意の位置に取り付け可能であり、位置決め部材５が支持部材２と横架ビーム１ｂとの間に配設されて、支持部材２を位置決めしてなる支持部材２の取付装置であって、横架ビーム１ｂは、長手方向の略一定間隔毎に同一形状の丸穴又は角穴である係合穴３ａを有し、係合穴３ａ・・・の中の特定の係合穴３ａに、位置決め部材５の係合凸部５ａを係合させると共に、位置決め部材５に設けた移動規制部５ｂで支持部材２の移動を規制して位置決めする。【選択図】        図４
2006020921.tif 000002
【特許請求の範囲】
【請求項１】
支持部材が横架ビームの長手方向の任意の位置に取り付け可能であり、位置決め部材が前記支持部材と前記横架ビームとの間に配設されて、該支持部材を位置決めしてなる支持部材の取付装置であって、
前記横架ビームは、長手方向の略一定間隔毎に同一形状の丸穴又は角穴である係合穴を有し、
前記係合穴の中の特定の係合穴に、前記位置決め部材の係合凸部を係合させると共に、該位置決め部材に設けた移動規制部で前記支持部材の移動を規制して位置決めしてなる支持部材の取付装置。
【請求項２】
前記位置決め部材の係合凸部が、平面視略コ字状板であり、
前記位置決め部材の移動規制部が、前記コ字状板から段落ちして前記横架ビームの長手方向前後へ広がり前記横架ビームに添接する該長手方向前後の添接板及び該添接板の端部から前記横架ビームに直交する方向に立起して前記支持部材の側面に当接する当接板からなるものである請求項１記載の支持部材の取付装置。
【請求項３】
前記横架ビームが、その側面の上下部に上部水平溝及び下部水平溝を形成してなるものであり、
前記係合穴が、前記上部水平溝の下側に形成された下向き溝及び前記下部水平溝の上側に形成された上向き溝間に渡設された位置決めプレートに形成されてなる請求項１記載の支持部材の取付装置。
【請求項４】
前記支持部材が、鉤状係合片を有する、天板、棚又はオプション類等を支持する受けブロック及び該受けブロックに上下方向に引き付けて螺設される、鉤状係合片を有する固定ブロックからなり、該鉤状係合片を前記水平溝に係合させてなるものである請求項３記載の支持部材の取付装置。
【発明の詳細な説明】
【技術分野】
【０００１】
本発明は、机又はパネルシステム等において、天板又は棚等を支持する支持部材の取付装置に関するものである。
【背景技術】
【０００２】
従来の天板又は棚等を支持する支持部材の取付装置としては、天板仕様やオプション部材の種類等の如何によらず、共通の枠体を利用して、それらの天板やオプション部材を好適に取り付けることができるようにすることを目的とし、天板を支持する枠体が、複数の枠材（例えば側枠材、後枠材及び補強枠材）から構成されるものにおいて、これらの枠材に、長手方向に沿って連続的に取付部であるレール溝を形成し、これらのレール溝の長手方向所要箇所を選択して、天板及びオプション部材を取り付けるための部材取付具（支持部材）を保持させ得るように構成したもの（例えば、特許文献１参照。）等がある。
【０００３】
また、本願出願人が出願済みである支持部材の取付装置に関する構成として、２本の脚柱又は間仕切パネルの支柱と、前記脚柱間又は支柱間に架設され、上部水平溝及び下部水平溝が側面の上下部に形成された横架ビームと、前記上部水平溝の下部に形成された下向き溝及び前記下部水平溝の上部に形成された上向き溝間に渡設され、長手方向に位置決め手段である複数の抜き穴が形成された位置決めプレートと、鉤状係合片を有する、天板等を支持する受けブロック及び該受けブロックと連結される固定ブロックからなり、該鉤状係合片を前記水平溝に係合させてなる支持部材とを備えてなるもの（特願２００３−５３５８６号参照。以下において、「先願」という。）がある。
【特許文献１】特開２０００−１２４号公報（第２−４頁、図１−８）
【発明の開示】
【発明が解決しようとする課題】
【０００４】
特許文献１の構成は、複数の枠材から構成される枠体を変更することなく、天板を支持する枠体全体を共通使用するものであり、机を構成するにあたっての自由度が低いという問題点があった。また、枠体を構成する枠材と、枠材のレール溝に取り付けられた天板等を支持する部材取付具（支持部材）との位置決めを容易に行うことができないという問題点があった。
【０００５】
先願発明は、このような従来技術の課題を解決できるものであるが、前記位置決めプレートを用いて主に目視により前記支持部材を位置決めするものであるため、該支持部材の位置決めを確実に精度よく行うことができないという点に改善の余地がある。
【０００６】
本発明は、前記のような問題点を解決するためになされたものであり、机又はパネルシステム等を構成するにあたっての自由度が高い支持部材の取付装置を得ることを目的とする。また、天板、棚又はオプション類等の支持部材の取付位置が可変であると共に、該支持部材の位置決めを、確実に精度よく、かつ容易に行うことができる支持部材の取付装置を得ることを目的とする。
【課題を解決するための手段】
【０００７】
本発明に係る支持部材の取付装置は、支持部材が横架ビームの長手方向の任意の位置に取り付け可能であり、位置決め部材が前記支持部材と前記横架ビームとの間に配設されて、該支持部材を位置決めしてなる支持部材の取付装置であって、前記横架ビームは、長手方向の略一定間隔毎に同一形状の丸穴又は角穴である係合穴を有し、前記係合穴の中の特定の係合穴に、前記位置決め部材の係合凸部を係合させると共に、該位置決め部材に設けた移動規制部で前記支持部材の移動を規制して位置決めしてなるものである。
【０００８】
ここで、前記位置決め部材の係合凸部が、平面視略コ字状板であり、前記位置決め部材の移動規制部が、前記コ字状板から段落ちして前記横架ビームの長手方向前後へ広がり前記横架ビームに添接する該長手方向前後の添接板及び該添接板の端部から前記横架ビームに直交する方向に立起して前記支持部材の側面に当接する当接板からなるものであると好ましい。
【０００９】
また、前記横架ビームが、その側面の上下部に上部水平溝及び下部水平溝を形成してなるものであり、前記係合穴が、前記上部水平溝の下側に形成された下向き溝及び前記下部水平溝の上側に形成された上向き溝間に渡設された位置決めプレートに形成されてなると好ましい。
【００１０】
さらに、前記支持部材が、鉤状係合片を有する、天板、棚又はオプション類等を支持する受けブロック及び該受けブロックに上下方向に引き付けて螺設される、鉤状係合片を有する固定ブロックからなり、該鉤状係合片を前記水平溝に係合させてなるものであると好ましい。
【発明の効果】
【００１１】
本発明に係る支持部材の取付装置によれば、支持部材が横架ビームの長手方向の任意の位置に取り付け可能であり、位置決め部材が前記支持部材と前記横架ビームとの間に配設されて、該支持部材を位置決めしてなる支持部材の取付装置であって、前記横架ビームは、長手方向の略一定間隔毎に同一形状の丸穴又は角穴である係合穴を有し、前記係合穴の中の特定の係合穴に、前記位置決め部材の係合凸部を係合させると共に、該位置決め部材に設けた移動規制部で前記支持部材の移動を規制して位置決めしてなるので、天板、棚又はオプション類等を支持する支持部材の取付位置を可変にすることができると共に、該支持部材の位置決めを確実に精度よく、かつ容易に行うことができる。したがって、机又はパネルシステム等を構成するにあたっての自由度が高く、構成された机又はパネルシステム等の信頼性が高い支持部材の取付装置を簡素な構成により実現することができる。また、前記係合穴が一定間隔毎に形成された同一形状の丸穴又は角穴であるので、前記位置決め部材の共通化を図ることができると共に、統一した印象により意匠性を向上することができる。
【００１２】
また、前記位置決め部材の係合凸部が、平面視略コ字状板であり、前記位置決め部材の移動規制部が、前記コ字状板から段落ちして前記横架ビームの長手方向前後へ広がり前記横架ビームに添接する該長手方向前後の添接板及び該添接板の端部から前記横架ビームに直交する方向に立起して前記支持部材の側面に当接する当接板からなるものであると、該支持部材の位置決めを、より容易に行うことができる。また、前記位置決め部材が簡素な構成であるため、前記位置決め部材を板金加工又は樹脂の成型加工等により形成できるため、コスト低減化を図ることができる。さらに、前記位置決め部材の中で外部から見える部分は前記当接板のみであるため、美観を損なうことがない。
【００１３】
さらに、前記横架ビームが、その側面の上下部に上部水平溝及び下部水平溝を形成してなるものであり、前記係合穴が、前記上部水平溝の下側に形成された下向き溝及び前記下部水平溝の上側に形成された上向き溝間に渡設された位置決めプレートに形成されてなると、前記水平溝に係合させて前記支持部材を容易に取り付けることができる。また、前記位置決めプレートを交換することにより、位置決めピッチ及び係合穴の形状等を容易に変更することができるため、要求仕様及び外観の好み等に応じて前記支持部材の位置決め箇所の変更又は前記係合穴の形状の変更を容易に行うことができる。
【００１４】
さらにまた、前記支持部材が、鉤状係合片を有する、天板、棚又はオプション類等を支持する受けブロック及び該受けブロックに上下方向に引き付けて螺設される、鉤状係合片を有する固定ブロックからなり、該鉤状係合片を前記水平溝に係合させてなるものであると、前記位置決め部材により前記支持部材を前記横架ビームの長手方向に位置決めした状態で、前記支持部材の前記横架ビームへの取り付け及び前記横架ビームからの取り外しを容易に行うことができる。
【発明を実施するための最良の形態】
【００１５】
次に本発明の実施の形態を添付図面に基づき詳細に説明する。図１は、本発明の実施の形態に係る支持部材の取付装置の構成例を示す説明図であり、図１（ａ）は正面図、図１（ｂ）は拡大右側面図である。また、図２及び図３は、本発明の支持部材の取付装置を用いてなる連結机の構成例を示す斜視図及び平面図である。なお、図３は、各構成部品が見やすいように、天板及び机上パネルが無い状態（天板は仮想線で示す。）の平面図を示している。なお、以下において、椅子に座って机に向かった状態で、机の天板の手前側を前、その反対側を後、左側を左、右側を右とする。
【００１６】
脚体１は、脚柱１ａ，１ａ及びこれら脚柱間に架設した横架ビーム１ｂ並びに横架ビーム１ｂ下部に配設され脚柱１ａ，１ａと連結されたサイド幕板１ｃにより構成されるが、図１に示すようにサイド幕板１ｃを設けない構成としてもよい。横架ビーム１ｂには、その側面の長手方向（図１中の矢印Ａ参照。）の略一定間隔毎に同一形状の係合穴３ａ・・・が形成された位置決めプレート３が装着されると共に、後述するように該位置決めプレート３の係合穴３ａ・・・のいずれかに位置決めされた支持部材２・・・が固定される。なお、本実施の形態で示す係合穴３ａ・・・は丸穴であるが、多角形の角穴であってもよい。また、位置決めプレート３を横架ビーム１ｂと別部品とせずに、一体としてもよい。すなわち、横架部材１ｂ自体の側面に、その長手方向の一定間隔毎に同一形状の丸穴又は角穴である係合穴を形成してもよい。だだし、位置決めプレート３を横架ビーム１ｂと別部品とすれば、該位置決めプレート３を交換することにより、位置決めピッチ及び係合穴３ａ・・・の形状等を容易に変更することができるため、要求仕様及び外観の好み等に応じて支持部材２の位置決め箇所の変更又は係合穴３ａ・・・の形状の変更を容易に行うことができるという利点がある。
【００１７】
横架ビーム１ｂは、脚柱１ａ，１ａ間に架設され、図示しないネジ等の固定手段により脚柱１ａ，１ａと連結されるが、脚柱１ａ，１ａ間の上部に１本の横架ビーム１ｂを架設する形態の他、脚柱１ａ，１ａ間の適宜位置に複数の横架ビーム１ｂ・・・を架設してもよい。また、脚体１は、このように２本の脚柱１ａ，１ａ間に横架ビーム１ｂを架設して形成する他、２本の間仕切パネルの支柱間に横架ビーム１ｂを架設して形成してもよい。
【００１８】
図２及び図３において、天板１０１・・・は、脚体１・・・の横架ビーム１ｂ・・・に取り付けられた支持部材２・・・により支持されており、前後方向に対向配置された天板１０１，１０１が左右に並設されてなる対面フリーアドレス型レイアウトの連結机が構成されている。また、図３において、脚体１，１同士は連結ビーム４により連結されており、机全体の構造強度、特に左右方向の構造強度が高められている。さらに、前後左右の天板間に配設された中央の脚体１には、その脚柱１ａ，１ａに支持ブラケット１０５，１０５が連結されており、これら支持ブラケット１０５，１０５も各々天板１０１，１０１を支持する構造となっている。
【００１９】
前後方向に対向配置された天板１０１，１０１の後端縁間には、配線ダクト用開口部Ｂが形成されており、この開口部Ｂには、左右に間隔を隔てた一対の受け具１０３，１０３及び配線カバー１０４が配設されている。図２に示すように、受け具１０３，１０３は、パーツの例として示した机上パネル１０２を支持すると共に、配線カバー１０４も支持することができるものである。また、配線カバー１０４は、机の天板１０１の後部下側に配設される図示しない配線ダクトの上側を覆うものであり、天板１０１の左右方向の略全長にわたって設けられている。
【００２０】
また、図２及び図３においては、天板１０１・・・４枚に対して、連結机の左右端及び中央部に同様の構成の脚体１・・・を３個配設している。そして、後述するように、支持部材２・・・を位置決め部材５（図１参照。）により脚体１の横架ビーム１ｂに位置決めして取り付け、該支持部材２・・・に天板１０１・・・を固定して、該脚体１・・・と該天板１０１・・・との相対位置決めがなされる。このような簡素な構成により、脚体１・・・と天板１０１・・・との相対位置決めを容易に行うことができ、前後に配設した天板を左右に並設して構成した対面フリーアドレス型レイアウトを容易に実現することができる。また、左右に並設する机の数を増やした場合においても、連結机の前後左右の天板１０１・・・の連結部に１個の脚体１を配設する同様の構成を採用することができる。さらに、本発明の支持部材の取付装置を用いて、片面フリーアドレス型レイアウト又は机の単独配置等も容易に構成することができる。なお、本明細書における「机」には、いわゆるテーブルの概念も含むものである。
【００２１】
図４及び図５は、横架ビームと支持部材との取付構造を示す斜視図及び断面図である。また、図６は、位置決め部材を位置決めプレートに取り付けた状態を示す説明図であり、図６（ａ）は正面図、図６（ｂ）は図６（ａ）のＸ−Ｘ断面図である。さらに、図７は、支持部材に天板を固定した状態を示す断面図である。
【００２２】
図４〜図７により、先ず位置決め部材５の構成及び作用について説明する。位置決め部材５には、位置決めプレート３の係合穴３ａに係合する係合凸部５ａ及び位置決めプレート３の長手方向（図６中の矢印Ａ参照。）への支持部材２の移動を規制する移動規制部５ｂが設けられている。すなわち、位置決め部材５の係合凸部５ａが係合穴３ａに係合することにより、位置決め部材５は位置決めプレート３に対して前記長手方向への移動が規制される。したがって、係合穴３ａ・・・の中の、支持部材２の位置決め箇所に位置する特定の係合穴３ａに位置決め部材５の係合凸部５ａを係合させた状態で、後述のように支持部材２を横架ビーム１ｂに取り付けると、位置決め部材５の移動規制部５ｂにより支持部材２の前記長手方向への移動が規制されるため、横架ビーム１ｂと支持部材２との位置決めが、確実に精度よく、かつ容易になされるのである。このようにして、組立又はレイアウト変更等における作業性を向上することができる。
【００２３】
また、本実施の形態においては、位置決め部材５の係合凸部５ａを、図６（ｂ）のように平面視略コ字状板としている。また、位置決め部材５の移動規制部５ｂを、該コ字状板から段落ちして位置決めプレート３の長手方向（図６中の矢印Ａ参照。）前後へ広がり位置決めプレート３に添接する該長手方向前後の添接板１０，１０及び該添接板の端部から位置決めプレート３に直交する方向に立起して支持部材２の側面に当接する当接板１１，１１により構成している。したがって、このような簡素な構成の位置決め部材５により、支持部材２の位置決めを、より容易に行うことができる。また、位置決め部材５が簡素な構成であるため、該位置決め部材５を板金加工又は樹脂の成型加工等により形成できるため、コスト低減化を図ることができる。さらに、位置決め部材５の中で外部から見える部分は当接板１１，１１のみであるため、美観を損なうことがない。さらにまた、当接板１１，１１が略半円状であるため（例えば、図４及び図５参照。）、外部から見える部分をより少なくすることができる。
【００２４】
次に、支持部材２の横架ビーム１ｂへの取付構造について説明する。横架ビーム１ｂには、上部水平溝８ａの下側に形成された下向き溝９ａ及び下部水平溝８ｂの上側に形成された上向き溝９ｂ間に位置決めプレート３が渡設されており、前記のとおり位置決めプレート３には、その側面の長手方向に複数の係合穴３ａ・・・が形成されている。また、支持部材２は受けブロック２ａ及び固定ブロック２ｂにより構成されており、受けブロック２ａの鉤状係合片６ａは横架ビーム１ｂの上部水平溝８ａと、鉤状係合片６ｂは横架ビーム１ｂの下部水平溝８ｂと、固定ブロック２ｂの鉤状係合片７ａは横架ビーム１ｂの下部水平溝８ｂと係合する。
【００２５】
位置決め部材５の前記当接板１１，１１間に支持部材２の側面が位置するようにして、位置決めプレート３に支持部材２を取り付ける。すなわち、受けブロック２ａのボルト穴１２からボルト１５を挿入して固定ブロック２ｂのねじ穴１４に螺合して、受けブロック２ａ及び固定ブロック２ｂを上下方向に引き付けて固定することにより、支持部材２は、脚体１の横架ビーム１ｂの前記当接板１１，１１間に取り付けられる。このように、受けブロック２ａ及び固定ブロック２ｂの前記鉤状係合片を横架ビーム１ｂの前記水平溝８ａ，８ｂに係合させた状態で、受けブロック２ａ側、すなわち上側からボルト１５により受けブロック２ａ及び固定ブロック２ｂを固定できるため組立作業性を向上することができる。なお、ボルト１５を固定ブロック２ｂ側から挿入して前記固定を行う構造を採用することもできる。
【００２６】
このようにして、支持部材２は、位置決めプレート３の側面の長手方向に形成された複数の同一形状の係合穴３ａ・・・及び位置決め部材５により、横架ビーム１ｂの長手方向（位置決めプレート３の長手方向。図１及び図６の矢印Ａ参照。）に、その取付位置を該長手方向に可変としながら、確実に精度よく、かつ容易に位置決めされる。したがって、机又はパネルシステム等を構成するにあたっての自由度及び構成された机又はパネルシステム等の信頼性を向上することができる。また、該位置決めプレート３に形成された複数の係合穴３ａ・・・が同一形状であるため、位置決め部材５・・・の共通化を図ることができる。さらに、該位置決めプレート３の統一した印象により意匠性を向上することができる。
【００２７】
また、前記のような受けブロック２ａ及び固定ブロック２ｂによる支持部材２の構成により、脚柱１ａ，１ａ間に横架ビーム１ｂを架設して脚体１が形成された後に、係合穴に位置決め部材５を装着した状態においても、支持部材２の横架ビーム１ｂへの取り付け又は取り外しを自由に行うことができる。さらに、図５の横架ビーム１ｂの断面形状からわかるように、支持部材２は横架ビーム１ｂの長手方向の両側面、すなわち脚体１の両側に取り付けることができる。ただし、横架ビーム１ｂは、図５の断面形状のように、その両側面に上部水平溝８ａ及び下部水平溝８ｂを形成する構成に限定されず、側面のいずれか一方のみに上部水平溝８ａ及び下部水平溝８ｂを形成して、支持部材２を取り付けてもよい。また、図５の横架ビーム１ｂの断面形状からわかるように、横架ビーム１ｂの上下面が上部水平溝８ａ及び下部水平溝８ｂの上下部を覆っており、上部水平溝８ａ及び下部水平溝８ｂの全体が露出しないため、美観を向上できる構造となっている。
【００２８】
このようにして、脚体１の横架ビーム１ｂに位置決めされて取り付けられた支持部材２・・・には、天板１０１が載置される。そして、図７に示すように、天板１０１の下側から、受けブロック２ａのボルト穴１３を通してボルト１６を挿入して天板下面に形成したねじ穴に螺合することにより、天板１０１と支持部材２とを固定することができる。なお、ボルト１６ではなく木ねじを用いて天板１０１と支持部材２とを固定してもよい。
【００２９】
図８は、配線ダクトの支持構造の例を示す斜視図である。この例では、横架ビーム１ｂに、その上部水平溝８ａの上下面に対向する上下溝１８ａ，１８ｂを形成し、その下部水平溝８ｂの上下面に対向する上下溝１９ａ，１９ｂを形成している。また、雌ねじ２０ａ，２０ａが形成された板ナット２０，２０を前記上下溝１８ａ，１８ｂ及び１９ａ，１９ｂ間に渡設している。そして、ビーム受け２１が、ボルト２２・・・により板ナット２０，２０に固定され、該ビーム受け２１により、図示しない配線ダクトを支持するビームが支持される。このような、ビーム受け２１、配線ダクト及び該ダクトを支持するビームを、前後方向に対向配置された天板１０１，１０１間の開口部Ｂ（図２及び図３参照。）の下部に設けることにより、該配線ダクトを利用して、配線の収納及びコンセントの配設等を行うことができる。
【００３０】
図９は、本発明の支持部材の取付装置を用いてなるパネルシステムの構成例を示す斜視図である。間仕切パネル１７の下部には横枠１７ｂが支柱１７ａ，１７ａ間に架設されている。棚１０６は、間仕切パネル１７の支柱１７ａ，１７ａ間の上部に架設した横架ビーム１ｂに取り付けられた支持部材２，２により支持されており、天板１０１は、間仕切パネル１７の支柱１７ａ，１７ａ間の中部に架設した横架ビーム１ｂに取り付けられた支持部材２，２及び脚１０７，１０７により支持されている。このように、横架ビーム１ｂは、間仕切パネル１７の支柱１７ａ，１７ａ間の適宜位置に架設することができ、該横架ビーム１ｂに取り付けた支持部材２・・・により、天板１０１、棚１０６の他、電話台、載置台及びダストボックス等を適宜支持することができるため、簡素な構成でパネルシステムの構成の自由度を向上することができる。
【００３１】
支持部材２・・・は、図４〜図６における構造と同様に、位置決めプレート３の係合穴３ａ及び位置決め部材５を用いて位置決めされた上で、横架ビーム１ｂに取り付けられる。したがって、横架ビーム１ｂと支持部材２との位置決めを、その取付位置を可変としながら、確実に精度よく、かつ容易にすることができるため、組立又はレイアウト変更等における作業性を向上することができる。また、該位置決めプレート３の統一した印象により意匠性を向上することができること、及び、位置決め部材５の中で外部から見える部分は当接板１１，１１のみであるため、美観を損なうことがないこと等の効果も図２〜図７の連結机の構成例と同様である。
【００３２】
以上の説明における脚柱１ａ，１ａ間又は間仕切パネルの支柱１７ａ，１７ａ間の適宜位置に架設された横架ビーム１ｂには、横架ビーム１ｂの上部水平溝８ａ及び下部水平溝８ｂに、鉤状係合片を有する受けブロック２ａ及び固定ブロック２ｂにより構成される支持部材２のみならず、棚又は机上パネル、電話台、載置台及びダストボックス等のオプション類等を支持するための、鉤状係合片を有する受けブロック及び固定ブロックにより構成される支持部材２を係合させることもできる。
【００３３】
また、以上における本発明の支持部材の取付装置を用いて天板１０１又は棚１０６等を支持して構成する机又はパネルシステム等においては、支持部材２により天板１０１等を直接支持する場合を説明したが、天板１０１等と支持部材２間にガイドレールを介在させる等、支持部材２により天板１０１等を間接支持する構成を採用してもよい。
【図面の簡単な説明】
【００３４】
【図１】本発明の実施の形態に係る支持部材の取付装置の構成例を示す説明図であり、（ａ）は正面図、（ｂ）は拡大右側面図である。
【図２】本発明の支持部材の取付装置を用いてなる連結机の構成例を示す斜視図である。
【図３】同じく平面図である。
【図４】横架ビームと支持部材との取付構造を示す斜視図である。
【図５】同じく断面図である。
【図６】位置決め部材を位置決めプレートに取り付けた状態を示す説明図であり、（ａ）は正面図、（ｂ）はＸ−Ｘ断面図である。
【図７】支持部材に天板を固定した状態を示す断面図である。
【図８】配線ダクトの支持構造の例を示す斜視図である。
【図９】本発明の支持部材の取付装置を用いてなるパネルシステムの構成例を示す斜視図である。
【符号の説明】
【００３５】
１  脚体
１ａ  脚柱
１ｂ  横架ビーム
２  支持部材
２ａ  受けブロック
２ｂ  固定ブロック
３  位置決めプレート
３ａ  係合穴
５  位置決め部材
５ａ  係合凸部
５ｂ  移動規制部
６ａ，６ｂ，７ａ  鉤状係合片
８ａ  上部水平溝
８ｂ  下部水平溝
９ａ  下向き溝
９ｂ  上向き溝
１０  添接板
１１  当接板
１２，１３  ボルト穴
１４  ねじ穴
１５，１６  ボルト
１７  間仕切パネル
１７ａ  支柱
１０１  天板
１０６  棚
Ａ  横架ビームの長手方向（位置決めプレートの長手方向）
【図１】
2006020921.tif 000003
【図２】
2006020921.tif 000004
【図３】
2006020921.tif 000005
【図４】
2006020921.tif 000006
【図５】
2006020921.tif 000007
【図６】
2006020921.tif 000008
【図７】
2006020921.tif 000009
【図８】
2006020921.tif 000010
【図９】
2006020921.tif 000011